(57)【特許請求の範囲】
【請求項１】
梁（１）に、その梁（１）の梁軸方向に配筋された複数の主筋（６）と、その複数の主筋（６）を囲んで配筋されたあばら筋（７）と、その梁（１）の梁幅方向に伸びる貫通孔（２）と、その貫通孔（２）を囲む環状補強部材（１０）とを備え、
前記貫通孔（２）の上方又は下方で前記主筋（６）に係止された斜め補強部材（２０）を備え、その斜め補強部材（２０）は、１本の連続する軸状部材からなり、前記主筋（６）に係止された係止部（２１）と、その係止部（２１）から前記貫通孔（２）の梁軸方向両側へ伸びてそれぞれ徐々に梁高さ方向中央に近づくせん断補強部（２２）を備え、前記斜め補強部材（２０）は、梁軸方向に沿って順に、前記主筋（６）を挟んで梁幅方向いずれかの側の前記せん断補強部（２２）、前記係止部（２１）、前記いずれかの側の反対側の前記せん断補強部（２２）が配置されて前記梁（１）の正面視において山形形状となっており、前記斜め補強部材（２０）を前記梁（１）の上方から下方へ又は下方から上方へ向かって差し入れることにより前記係止部（２１）を前記主筋（６）に係止することが可能であることを特徴とするコンクリート造梁の貫通孔周囲の補強構造。
【請求項２】
前記斜め補強部材（２０）は、前記係止部（２１）を夾んで両側の部材同士が、対称に且つ等しい重量に形成されていることを特徴とする請求項１に記載のコンクリート造梁の貫通孔周囲の補強構造。
【請求項３】
前記斜め補強部材（２０）を前記貫通孔（２）の上下にそれぞれ配置し、その上下の斜め補強部材（２０）の各せん断補強部（２２）の先端が、それぞれ前記梁（１）の高さ方向の中心に達するようにし、その梁（１）の正面視において、前記上下の斜め補強部材（２０）が前記貫通孔（２）周囲を囲むように配置されていることを特徴とする請求項１又は２に記載のコンクリート造梁の貫通孔周囲の補強構造。
【請求項４】
梁（１）に、その梁（１）の梁軸方向に配筋された複数の主筋（６）と、その複数の主筋（６）を囲んで配筋されたあばら筋（７）と、その梁（１）の梁幅方向に伸びる貫通孔（２）と、その貫通孔（２）を囲む環状補強部材（１０）とを備え、
前記貫通孔（２）の上方又は下方で前記主筋（６）に係止された斜め補強部材（２０）を備え、その斜め補強部材（２０）は、前記主筋（６）に係止され梁軸方向に並列する対の係止部（２１，２１）と、その対の係止部（２１，２１）の一方から前記貫通孔（２）の梁軸方向一方へ伸びて徐々に梁高さ方向中央に近づく第一のせん断補強部（２２ａ）と、前記対の係止部（２１，２１）の他方から前記貫通孔（２）の梁軸方向他方へ伸びて徐々に梁高さ方向中央に近づく第二のせん断補強部（２２ｂ）とを備え、
前記斜め補強部材（２０）は、前記第一のせん断補強部（２２ａ）に沿って配置されその第一のせん断補強部（２２ａ）に連結された第一の補助せん断補強部（２４ａ）と、前記第二のせん断補強部（２２ｂ）に沿って配置されその第二のせん断補強部（２２ｂ）に連結された第二の補助せん断補強部（２４ｂ）とを備え、前記第一のせん断補強部（２２ａ）と前記第二のせん断補強部（２２ｂ）とは、前記第一の補助せん断補強部（２４ａ）及び前記第二の補助せん断補強部（２４ｂ）を介して連結されているコンクリート造梁の貫通孔周囲の補強構造。
【請求項５】
前記斜め補強部材（２０）を前記貫通孔（２）の上下にそれぞれ配置し、その上下の斜め補強部材（２０）の前記第一のせん断補強部（２２ａ）と第二のせん断補強部（２２ｂ）の先端が、それぞれ前記梁（１）の高さ方向の中心に達するようにし、その梁（１）の正面視において、前記上下の斜め補強部材（２０）が前記貫通孔（２）周囲を囲むように配置されていることを特徴とする請求項４に記載のコンクリート造梁の貫通孔周囲の補強構造。
【発明の詳細な説明】
【技術分野】
【０００１】
この発明は、鉄筋コンクリート造梁、あるいは鉄骨鉄筋コンクリート造梁に設けた貫通孔周囲の補強材に関するものである。
【背景技術】
【０００２】
設備配管等をコンクリート造梁を有する建物内に、あるいはその建物内部から外部へ配する場合、その配管が階高設定に影響を与えないようにするため、例えば、図１２に示すように、柱４，４間を結ぶコンクリート造梁（以下、単に「梁」という）１の腹部に配管３を挿通するための貫通孔２を設ける手法が一般的である。
【０００３】
梁１に貫通孔２を設ける場合、そのままでは断面減少、貫通孔周囲への応力集中等により、梁１のせん断耐力が低下するので、その貫通孔２周囲を、鉄筋や溶接金網等のせん断補強材で補強する手法が一般的に用いられている。
【０００４】
せん断補強材として、例えば、図１３（ａ）〜（ｃ）に示すように、梁１に設けた貫通孔２の周囲を囲む環状補強部材１０がある。
【０００５】
この種の環状補強部材１０は、梁１にせん断応力が作用した場合に生じる初期せん断ひび割れが、図１３（ａ）に示す断面において、符号５で示す矢印のように、貫通孔２から梁軸方向に対して概ね４５度方向のラインに沿って４方向へ進展するため、その初期のせん断ひび割れに対してほぼ直交する方向に向くせん断補強材を配置して、その補強効果を高めようとするものである。せん断補強材は、コンクリートとの付着力により、せん断ひび割れの進展を抑制する。
【０００６】
なお、前記環状補強部材１０に加えて、せん断補強材として斜め補強部材１１を配置する技術が開示されている。
【０００７】
この斜め補強部材１１は、例えば、図１４（ａ）〜（ｃ）に示すように、直線状の軸状部材の一端を曲げてフック部１１ａとしたものがある。この軸状部材からなる斜め補強部材１１は、そのフック部１１ａが、前記貫通孔２を夾んで上方と下方に位置する主筋６のうち、梁幅方向端部の主筋６にそれぞれ係止されている。また、その他端の直棒部１１ｂは、図１４（ａ）〜（ｃ）に示すように、上方に位置する主筋６に係止された斜め補強部材１１は斜め方向（梁軸方向、及び梁高さ方向に対して斜め方向）下方に伸び、下方に位置する主筋６に係止された斜め補強部材１１は斜め方向（梁軸方向、及び梁高さ方向に対して斜め方向）上方に伸びるように配置されている（例えば、特許文献１参照）。
【０００８】
また、他の構成からなる斜め補強部材１１として、図１５（ａ）（ｂ）に示すものがある。この斜め補強部材１１は、二本の直線状の軸状部材を並行に並べてそれぞれ直棒部（せん断補強部）１１ｂとし、その直棒部１１ｂの一端同士を直線状の軸状部材からなる連結部１１ｃで接続して、全体としてコ字状の外観となっている。この斜め補強部材１１の製作は、１本の連続する軸状部材を曲げ加工することで可能である。なお、二本の直棒部１１ｂの他端は、周囲のコンクリートへの定着度合いを高めるために曲げ加工が施され、抜け止め作用部１１ｄとなっている（例えば、特許文献２参照）。
【先行技術文献】
【特許文献】
【０００９】
【特許文献１】特開平８−１８４１２７号公報（第４頁第１−３図）
【特許文献２】特開２００２−３６４１１９号公報（第７−８頁第１−６図）
【発明の概要】
【発明が解決しようとする課題】
【００１０】
図１４に示す斜め補強部材１１は、直線状の軸状部材を主体とするため、梁１の貫通孔２の周囲に発生する可能性のある前記４方向のせん断ひび割れ（図１３の符号５で示す矢印参照）に対応して、その４方向にそれぞれ斜め補強部材１１を配置する必要がある。
【００１１】
すなわち、図１４（ａ）に示すように、貫通孔２の上方に位置する１本の主筋６に対し、２つの斜め補強部材１１を係止し、そのうち１つは、貫通孔２を夾んで梁軸方向一方へ斜め方向下方に向かって、もう一つは、梁軸方向他方へ斜め方向下方に向かって配置している。また、貫通孔２の下方に位置する１本の主筋６に対し、２つの斜め補強部材１１を係止し、そのうち１つは、貫通孔２を夾んで梁軸方向一方へ斜め方向上方に向かって、もう一つは、梁軸方向他方へ斜め方向上方に向かって配置している。このため、図１４（ａ）に示す断面において、４本１組の斜め補強部材１１を配置していることとなる。
【００１２】
さらに、その４本１組の斜め補強部材１１は、図１４（ｂ）に示すように、貫通孔２の伸びる方向に沿って、梁幅方向の表面側と裏面側とにそれぞれ配置しているから、一つの貫通孔２に対する斜め補強部材１１の配置数はさらに多くなる。
【００１３】
このように、図１４に示す斜め補強部材１１は、一つの貫通孔２に対して、斜め補強部材１１を多数配置しなければならないという問題がある。
斜め補強部材１１の数が多いと、その固定作業が繁雑である。斜め補強部材１１は、例えば、折り曲げたフック部１１ａを主筋６に係止し、所定の位置、所定の向きで動かないように番線等で縛って固定するなどの作業が必要だからである。
【００１４】
この点、図１５に示す斜め補強部材１１は、並行な２つの直棒部１１ｂの一端同士を直線状の連結部１１ｃで接続したコ字状であるから、１つの斜め補強部材１１で、梁幅方向の表面側と裏面側とにそれぞれ設けるべき斜め補強部材１１の両方の機能を発揮することができる。すなわち、斜め補強部材１１の配置数を減らすことができる。
【００１５】
しかし、そのコ字状の斜め補強部材１１は、前記直線状の連結部１１ｃを、梁幅方向に並列する複数の主筋６間に架け渡した後（係止した後）、その直棒部１１ｂが梁軸方向、及び梁高さ方向に対して斜め方向となるように、その他端を持ち上げるなどして直棒部１１ｂの向きを維持した状態に固定しなければならない。特に、貫通孔の周囲を均等に補強するには、各斜め補強部材を、梁軸方向に対して同一角度を成すように配置する必要がある。このような固定作業は、図１４に示す斜め補強部材１１と同様に煩雑である。
【００１６】
そこで、この発明は、斜め補強部材を容易に固定できるようにすることを課題とする。
【課題を解決するための手段】
【００１７】
上記の課題を解決するために、この発明は、梁に、その梁の梁軸方向に配筋された複数の主筋と、その複数の主筋を囲んで配筋されたあばら筋と、その梁の梁幅方向に伸びる貫通孔と、その貫通孔を囲む環状補強部材とを備え、前記貫通孔の上方又は下方で前記主筋に係止された斜め補強部材を備え、その斜め補強部材は、前記主筋に係止された係止部と、その係止部から前記貫通孔の梁軸方向両側へ伸びてそれぞれ徐々に梁高さ方向中央に近づくせん断補強部を備えることを特徴とするコンクリート造梁の貫通孔周囲の補強構造とした。
【００１８】
貫通孔周囲に発生するせん断ひび割れに対抗する機能を有するせん断補強部が、係止部を夾んで梁軸方向両方へそれぞれ伸びるので、その斜め補強部材は、係止部を夾んで両側のバランスがよい。このため、その係止部を一旦主筋に係止すれば、その後は斜め補強部材の体勢が変わりにくい。したがって、斜め補強部材を容易に固定できる。
【００１９】
この構成において、斜め補強部材の係止部は、その斜め補強部材を主筋に係止出来る機能を有していればよく、例えば、斜め補強部材の一部にフック状の部材を溶接等により取付けて、そのフック状の部材を主筋に引っ掛けてもよいし、あるいは、斜め補強部材の一部を番線等で縛って主筋に係止し、その係止した箇所を前記係止部としてもよい。
【００２０】
これらの各構成において、前記斜め補強部材は、前記係止部を夾んで両側の部材同士が、対称に且つ等しい重量に形成されている構成を採用することができる。この構成によれば、斜め補強部材の姿勢を安定させる上で、さらに有利である。
【００２１】
すなわち、前記係止部を夾んで両側の前記せん断補強部同士は、あるいは、補助せん断補強部を備える場合は、その両側の各せん断補強部と各補助せん断補強部同士は、梁軸方向に対称に、つまり、等しい形状、等しい長さに形成されていることが、斜め補強部材の姿勢を安定させる上で有効であり、もちろん、その両者が、等しい重量に形成されていることが最も望ましい。
【００２２】
これらの各構成において、前記斜め補強部材を貫通孔の上下にそれぞれ配置し、その上下の斜め補強部材の各せん断補強部の先端が、前記梁の高さ方向の中心に達するようにし、その梁の正面視において、前記上下の斜め補強部材が前記貫通孔周囲を囲むように配置されている構成を採用することができる。
このようにすれば、上下の斜め補強部材によって、貫通孔周囲が確実に囲まれるため、高い補強効果が期待できる。
【００２３】
また、斜めせん断補強部材は、次なる構成を採用することもできる。すなわち、その構成は、梁に、その梁の梁軸方向に配筋された複数の主筋と、その複数の主筋を囲んで配筋されたあばら筋と、その梁の梁幅方向に伸びる貫通孔と、その貫通孔を囲む環状補強部材とを備え、前記貫通孔の上方又は下方で前記主筋に係止された斜め補強部材を備え、その斜め補強部材は、前記主筋に係止され梁軸方向に並列する対の係止部と、その対の係止部の一方から前記貫通孔の梁軸方向一方へ伸びて徐々に梁高さ方向中央に近づく第一のせん断補強部と、前記対の係止部の他方から前記貫通孔の梁軸方向他方へ伸びて徐々に梁高さ方向中央に近づく第二のせん断補強部とを備え、前記斜め補強部材は、前記第一のせん断補強部に沿って配置されその第一のせん断補強部に連結された第一の補助せん断補強部と、前記第二のせん断補強部に沿って配置されその第二のせん断補強部に連結された第二の補助せん断補強部とを備え、前記第一のせん断補強部と前記第二のせん断補強部とは、前記第一の補助せん断補強部及び前記第二の補助せん断補強部を介して連結されている構成を採用することができる。
【００２４】
この構成において、貫通孔周囲に発生するせん断ひび割れに対抗する機能を有する第一のせん断補強部及び第二のせん断補強部が、対の係止部を夾んで梁軸方向両方へそれぞれ伸びてそれらが連結されているので、その斜め補強部材は、その対の係止部を夾んで両側のバランスがよい。このため、その係止部を一旦主筋に係止すれば、その後は斜め補強部材の体勢が変わりにくい。したがって、斜め補強部材を容易に固定できる。
【００２５】
また、このように第一の補助せん断補強部、第二の補助せん断補強部を備えれば、せん断ひび割れに対抗する機能がさらに高まるとともに、その第一の補助せん断補強部、第二の補助せん断補強部によって、第一のせん断補強部と前記第二のせん断補強部とを連結し、左右のせん断補強部を一体にする部材を兼ねることができる。
【００２６】
なお、この構成においても、斜め補強部材の係止部は、その斜め補強部材を主筋に係止出来る機能を有していればよく、例えば、斜め補強部材の一部にフック状の部材を溶接等により取付けて、そのフック状の部材を主筋に引っ掛けてもよいし、あるいは、斜め補強部材の一部を番線等で縛って主筋に係止し、その係止した箇所を前記係止部としてもよい。
【００２７】
また、前記斜め補強部材は、前記対の係止部の梁軸方向中央を夾んで両側の部材同士が、対称に且つ等しい重量に形成されている構成を採用することができる。この構成によれば、斜め補強部材の姿勢を安定させる上で、さらに有利である。
【００２８】
すなわち、前記対の係止部を夾んで両側に位置する前記第一のせん断補強部、第二のせん断補強部同士は、あるいは、前記第一の補助せん断補強部、第二の補助せん断補強部を備える場合は、その両側に位置する前記第一の補助せん断補強部と第二の補助せん断補強部同士、及び、第一のせん断補強部と第二のせん断補強部同士は、梁軸方向に対称に、つまり、等しい形状、等しい長さに形成されていることが、斜め補強部材の姿勢を安定させる上で有効であり、もちろん、その両者が、等しい重量に形成されていることが最も望ましい。
【００２９】
また、これらの各構成において、前記斜め補強部材を前記貫通孔の上下にそれぞれ配置し、その上下の斜め補強部材の前記第一のせん断補強部と第二のせん断補強部（２２ｂ）の先端が、それぞれ前記梁の高さ方向の中心に達するようにし、その梁の正面視において、前記上下の斜め補強部材が前記貫通孔周囲を囲むように配置されている構成を採用することができる。
【００３０】
このようにすれば、上下の斜め補強部材によって、貫通孔周囲が確実に囲まれるため、高い補強効果が期待できる。
【００３１】
また、これらの各構成において、斜め補強部材が軸状部材又は板状部材で構成されている場合において、その軸状部材又は板状部材を曲げて前記係止部を構成してもよい。
【００３２】
すなわち、その構成は、前記斜め補強部材は軸状部材又は板状部材で構成され、前記係止部は、前記軸状部材又は板状部材に設けられた屈曲部で構成されており、前記屈曲部の内側向きの面が前記主筋に当接した状態で、前記斜め補強部材は前記主筋に係止される構成とし得る。
軸状部材又は板状部材の屈曲部でもって、斜め補強部材を主筋に係止する構成とすれば、斜め補強部材の製作が容易であるし、配筋時の係止作業も容易である。
【００３３】
あるいは、他の構成として、前記斜め補強部材は軸状部材又は板状部材で構成され、前記係止部は、前記軸状部材又は板状部材に設けられた２箇所の屈曲部と、その２箇所の前記屈曲部間に直線部とで構成されており、前記屈曲部の内側向きの面又は前記直線部が前記主筋に当接した状態で、前記斜め補強部材は前記主筋に係止される構成とし得る。
この構成によれば、一つの斜め補強部材を、梁幅方向に並列する複数の主筋に対して係止することができるので、斜め補強部材の姿勢が安定しやすい。また、２箇所の屈曲部間に直線部が介在することで、その斜め補強部材の介在によるコンクリートの被りの減少を抑えることができる。
【発明の効果】
【００３４】
この発明は、貫通孔周囲に発生するせん断ひび割れに対抗する機能を有するせん断補強部が、係止部を夾んで梁軸方向両方へそれぞれ伸びるので、その斜め補強部材は、係止部を夾んで両側のバランスがよい。このため、その係止部を一旦主筋に係止すれば、その後は斜め補強部材の体勢が変わりにくい。したがって、斜め補強部材を容易に固定できる。
【図面の簡単な説明】
【００３５】
【図１】一実施形態の斜視図
【図２】一実施形態の正面断面図
【図３】図２の側面断面図
【図４】一実施形態の斜め補強部材の詳細を示し、（ａ）は正面図、（ｂ）は（ａ）の右側面図、（ｃ）は斜視図、（ｄ）はその変形例を示す斜視図
【図５】図４（ａ）（ｂ）（ｃ）に対応する実施形態の斜め補強部材の詳細を示し、（ａ）は背面図、（ｂ）は（ａ）の右側面図、（ｃ）は平面図、（ｄ）は底面図
【図６】他の実施形態の要部斜視図
【図７】他の実施形態の斜め補強部材の詳細を示し、（ａ）は正面図、（ｂ）は側面図、（ｃ）（ｄ）は斜視図
【図８】図７の実施形態の斜め補強部材の詳細を示し、（ａ）は背面図、（ｂ）は（ａ）の右側面図、（ｃ）は平面図、（ｄ）は底面図
【図９】さらに他の実施形態の正面断面図
【図１０】図９の実施形態の斜め補強部材の詳細を示し、（ａ）は正面図、（ｂ）は側面図、（ｃ）は斜視図
【図１１】図９の実施形態の斜め補強部材の詳細を示し、（ａ）は背面図、（ｂ）は（ａ）の右側面図、（ｃ）は平面図、（ｄ）は底面図
【図１２】貫通孔を設けたコンクリート造梁の施工例を示す説明図
【図１３】従来例を示し、（ａ）は正面図、（ｂ）は側面図、（ｃ）は環状補強部材の正面図
【図１４】従来例を示し、（ａ）は正面図、（ｂ）は側面図、（ｃ）は斜め補強部材の詳細図
【図１５】従来例を示し、（ａ）は正面図、（ｂ）は斜め補強部材の斜視図
【発明を実施するための形態】
【００３６】
この発明の実施形態を図面に基づいて説明する。この実施形態のコンクリート造梁の貫通孔周囲の補強構造は、柱４，４間を結ぶ梁１（例えば、図１２参照）に設けた貫通孔２の周囲を環状補強部材１０で補強した構成において、その環状補強部材１０に加えて、斜め補強部材２０を配置したものである。
【００３７】
環状補強部材１０及び斜め補強部材２０は、それぞれ、梁１にせん断応力が作用した場合に生じる初期せん断ひび割れが、貫通孔２の周囲に進展した場合に、その初期のせん断ひび割れに対して交差する方向に所定の部材が位置するように配置されている。
すなわち、環状補強部材１０及び斜め補強部材２０は、コンクリートとの付着力により、せん断ひび割れの進展を抑制する。
さらに、斜め補強部材２０は、貫通孔２の上下部の主筋６に係止して固定されるため、主筋６を拘束し、座屈を抑制することができる。また、梁の高さ方向の変位を拘束するため、コンクリートの破壊を抑制し、梁１の変形性能を向上させることができる。
【００３８】
図１〜図３は、梁１内の配筋状態の一部を示したものである。図中に示す符号６は主筋を、符号７は、その主筋６周りに巻回して固定されるあばら筋（せん断補強筋）を示している。
【００３９】
梁１の貫通孔２は、その孔中心線の方向が、その梁１の長さ方向（梁１の梁軸方向）に直交して設けられており、その貫通孔２周囲には、その貫通孔２の長さ方向（梁１の梁幅方向）に沿って、梁１の表裏二箇所に、それぞれ前述の環状補強部材１０を配置している（図３参照）。その各せん断補強部材１０は、図３に示すように、梁１の梁幅方向表面側と裏面側とに、それぞれ所定の被りを確保して貫通孔２を囲むように配置されており、例えば、それぞれ対応する側のあばら筋７に番線等の結束材等により固定されている。
【００４０】
なお、この実施形態の環状補強部材１０は、鋼材を任意の形状にしたものであるが、この実施形態以外の周知の環状補強部材１０を用いることができる。例えば、ひも状の連続繊維に未硬化の樹脂を含浸させてその樹脂を硬化させたものであってもよい。貫通孔２を囲う形状であれば、軸状部材であっても板状部材であってもよいし、単一の部材であっても複数の部材を組み合わせたものであってもよい。
【００４１】
また、この実施形態の斜め補強部材２０の構成は、図４（ａ）〜（ｃ）、及び、図５（ａ）〜（ｄ）に示すように、１本の連続する鉄筋（軸状部材）で構成される。なお、この軸状部材の素材は自由であり、この実施形態で用いた鉄筋以外の素材であってもよい。例えば、環状補強部材１０の場合と同様、連続繊維に未硬化の樹脂を含浸させてその樹脂を硬化させたものを用いてもよい。
【００４２】
斜め補強部材２０は、図１〜図３に示すように、前記軸状部材の長さ方向中央部に、前記主筋６への係止箇所となる係止部２１を備えている。この係止部２１は、前記軸状部材に設けられた屈曲部２１ａで構成されている。
また、その係止部２１から、貫通孔２の梁軸方向両側へそれぞれ伸びて徐々に梁高さ方向中央に近づくせん断補強部２２を備える。すなわち、上方の主筋６に係止される斜め補強部材２０においてはせん断補強部２２は下方に伸び、下方の主筋６に係止される斜め補強部材２０においてはせん断補強部２２は上方に伸びる。
この実施形態では、せん断補強部２２は直線状であるが、多少の湾曲部、屈曲部を伴っていても初期せん断ひび割れに対抗できる形状であれば差し支えない。
【００４３】
また、屈曲部２１ａは、両側のせん断補強部２２，２２間を結ぶように円弧状に形成されており、その円弧の内側向きの面が主筋６に当接した状態で、斜め補強部材２０は主筋６に係止されるようになっている。すなわち、図４（ｂ）や図５（ｂ）に示すように、斜め補強部材２０は、全体として側面視Ｕ字状となっている。
また、図４（ａ）や図５（ａ）に示すように、せん断補強部２２，２２間の成す角度は６０度となって、斜め補強部材２０は、全体として正面視二等辺の山形形状となっている。なお、この角度は、６０度に限定されず、例えば、９０度など他の角度に設定してもよい。
【００４４】
せん断補強部２２は、図１等に示すように、前記係止部２１を主筋６に係止して配置した際に、その先端が梁１の高さ方向中央部に至る、又はそれを超える長さを有していることが望ましい。すなわち、その上下の斜め補強部材２０の各せん断補強部２２の先端が、それぞれ、前記梁１の高さ方向の中心に達するようにすることが望ましい。このようにすれば、その梁１の正面視において、上下の斜め補強部材２０によって、貫通孔２周囲が確実に囲まれるため、高い補強効果が期待できる。
【００４５】
なお、この実施形態では、係止部２１を夾んで両側のせん断補強部２２，２２の先端は、それぞれ周囲のコンクリートへの定着度合いを高めるために曲げ加工が施され、抜け止め作用部２３となっている。
【００４６】
また、この実施形態では、軸状部材は全長に亘って同一径となっており、係止部２１を夾んで両側の前記せん断補強部２２，２２は、等しい重量、等しい長さに形成されている。このため、係止部２１を夾んで両側のせん断補強部２２，２２同士のバランスがよく、その斜め補強部材２０の姿勢を安定させる上で有効であり、貫通孔２の梁軸方向の両側を均等に補強できる。
【００４７】
この施工方法について説明すると、まず、コンクリート造梁１に必要な通常の配筋を行う。すなわち、図示しない型枠内に、主筋６、あばら筋７、及び貫通孔２を形成するための筒状部材、環状補強部材１０を配置する。
この配置方法は通常通りであり、主筋６は、梁軸方向に沿ってその梁１の上部と下部にそれぞれ複数本並列して配置する。また、その主筋６に直交する方向にあばら筋７を配置していく。あばら筋７は、梁長さ方向に沿って所定の間隔で配置し、貫通孔２の位置は避けて配置する。
【００４８】
そのあばら筋７とあばら筋７との間の隙間から、環状補強部材１０をそのあばら筋７で囲まれた空間内に差し入れて、その環状補強部材１０を貫通孔２周囲に固定する。環状補強部材１０は、例えば、あばら筋７に対して番線等の結束材で固定することができる。
【００４９】
次に、同じくあばら筋７とあばら筋７との間の隙間から、斜め補強部材２０をそのあばら筋７で囲まれた空間内に差し入れる。このとき、梁１の上方の主筋６に係止する斜め補強部材２０については、その係止部２１が、貫通孔２の直上にくるように配置し、その係止部２１を主筋６に引っ掛ける。また、梁１の下方の主筋６に係止する斜め補強部材２０については、その係止部２１が、貫通孔２の直下にくるように配置し、その係止部２１を主筋６に引っ掛ける。
【００５０】
なお、この実施形態では、梁幅方向に並列する複数本（４本）の主筋６のうち、中央部２本の主筋６を斜め補強部材２０を係止する対象としている。梁幅方向外側の主筋６に斜め補強部材２０を係止すると、あばら筋７に固定されている環状補強部材１０との距離が近接するからである。
すなわち、斜め補強部材２０を、梁幅方向外側に位置する主筋６以外の主筋６としたので、斜め補強部材２０の位置と環状補強部材１０との位置を、梁幅方向に所定距離隔てることができる。このため、斜め補強部材２０の配置、固定作業に際し、環状補強部材１０との干渉を防ぐことができる。
【００５１】
また、図１及び図２に示すように、斜め補強部材２０を係止する下方の主筋６と、斜め補強部材２０を係止する上方の主筋６とを、梁幅方向にずらして設定している。これにより、前記係止部２１を主筋６に係止して配置した際に、せん断補強部２２の先端が梁１の高さ方向中央部に至る、又はそれを超えるように設定することができる。
なお、この実施形態では、図２に示すように、各せん断補強部２２の先端が、それぞれ梁１の高さ方向中央部に位置するように設定されている。
【００５２】
以上のように、梁１の上方の主筋６に係止する斜め補強部材２０と、梁１の下方の主筋６に係止する斜め補強部材２０の２つの斜め補強部材２０によって、貫通孔２の周囲を囲うことができるので、その配置が容易である。
また、これらの２つの斜め補強部材２０は、それぞれ別々にあばら筋７とあばら筋７との間の隙間を通じて、所定の配置箇所に差し入れることができる。なお、その差し入れの際、あばら筋７を若干ずらして隣り合うあばら筋７との間隔を拡げてもよい。
【００５３】
また、各斜め補強部材２０を、係止部２１を夾んで梁軸方向両側にせん断補強部２２が伸びる構成にしたので、その係止部２１を主筋６に固定することで、せん断補強部２２の向きが必然的に決まる。特に、梁１の上方の主筋６に係止する斜め補強部材２０の場合は、係止部２１が主筋６に係止されることで、せん断補強部２２はその自重で垂れ下がるように支持されるので、別段に作業者が持ち上げて向きを変えたりしなくても所定の向きに配置される。このため、斜め補強部材２０の配置、固定作業が、格段に容易となる。
また、貫通孔２の上下に配置される斜め補強部材２０のうち、後に配置される斜め補強部材２０（例えば、下方の主筋６に係止する斜め補強部材２０）は、先に配置した斜め補強部材２０（例えば、上方の主筋６に係止する斜め補強部材２０）の先端の位置を基準にすれば、容易に上下対称に配置することができる。このため、斜め補強部材２０のせん断補強部２２を、貫通孔２の周囲に均等に配置しやすい。
【００５４】
なお、斜め補強部材２０の係止部２１は、梁幅方向に並列する複数の主筋６に係止できるよう、例えば、図４（ｄ）の変形例に示すように、幅広の楕円の円弧状に形成してもよい。また、斜め補強部材２０の製作を容易にするため、その円弧径を大きくすることが望ましい。
【００５５】
さらに、他の実施形態を図６乃至図８に示す。この実施形態は、図４（ｄ）の変形例と同様に、梁幅方向に並列する複数の主筋６に係止できるようにしたものであり、その係止部の構成を、２箇所の屈曲部２１ｂ，２１ｂと、その屈曲部２１ｂ，２１ｂ間の直線部２１ｃとで構成したものである。
【００５６】
すなわち、係止部２１は、軸状部材に設けられた２箇所の屈曲部２１ｂ，２１ｂと、その２箇所の屈曲部２１ｂ，２１ｂ間の直線部２１ｃとで構成されており、その各屈曲部２１ｂ，２１ｂの内側向きの面が、それぞれ対応する主筋６に当接した状態で、斜め補強部材２０が主筋６に係止される構成である。
【００５７】
各屈曲部２１ｂ，２１ｂの内側向きの面が、それぞれ対応する主筋６に当接することに代えて、あるいは加えて、直線部２１ｃが主筋６に当接した状態で、斜め補強部材２０が主筋６に係止されるようにしてもよい。
【００５８】
他の構成及び作用は、前述の実施形態と同様であるので説明を省略する。
【００５９】
なお、いずれの実施形態においても、軸状部材に代えて、板状部材で構成される斜め補強部材２０を採用してもよい。斜め補強部材２０として板状部材を採用する場合において、前記係止部２１を屈曲部２１ａ，２１ｂ等で構成する場合は、その屈曲は、フラットな板状部材の板面を湾曲させるように曲げ加工を施して前記屈曲部２１ａ，２１ｂとすると、容易に製作できる。
【００６０】
さらに他の実施形態を、図９乃至図１１に示す。この実施形態は、係止部２１を二つ有する斜め補強部材２０を用いたコンクリート造梁の貫通孔周囲の補強構造である。
【００６１】
その構成は、図９に示すように、梁１に、その梁１の梁軸方向に配筋された複数の主筋６と、その複数の主筋６を囲んで配筋されたあばら筋７と、その梁１の梁幅方向に伸びる貫通孔２と、その貫通孔２を囲む環状補強部材１０とを備えている点等は、前述の実施形態と同様である。
【００６２】
その貫通孔２の上方において、前記主筋６に斜め補強部材２０が係止されている。なお、この実施形態では、図９に示すように、貫通孔２の上方にのみ斜め補強部材２０を配置しているが、それに加えて、又は代えて、貫通孔２の下方に斜め補強部材２０を配置してもよい。
【００６３】
その斜め補強部材２０は、前記主筋６に係止され梁軸方向に並列する対の係止部２１，２１を備える。対の係止部２１，２１は、それぞれ弧状に曲げられた屈曲部２１ａで構成される。その対の屈曲部２１ａ，２１ａの内面が主筋６に当たって、対の係止部２１，２１は，その主筋６に並列して引っ掛けられるように係止されている。なお、その対の屈曲部２１ａ，２１ａの先は、それぞれ、梁高さ方向中央に向かって伸びる延長部２６となっている。
【００６４】
また、斜め補強部材２０は、前記対の係止部２１，２１のうち、図中左側に示す係止部２１（一方の係止部２１）から、前記貫通孔２の梁軸方向左側（一方）へ伸びて徐々に梁高さ方向中央に至る第一のせん断補強部２２ａを備えている。また、その対の係止部２１，２１のうち、図中右側に示す係止部２１（他方の係止部２１）から、前記貫通孔（２）の梁軸方向右側（他方）へ伸びて徐々に梁高さ方向中央に近づく第二のせん断補強部（２２ｂ）を備えている。
【００６５】
さらに、斜め補強部材２０は、前記第一のせん断補強部２２ａに沿って配置された第一の補助せん断補強部２４ａを備えている。第一の補助せん断補強部２４ａは、前記第一のせん断補強部２２ａの梁高さ方向中央側の端部に設けた屈曲部２５によって、その第一のせん断補強部２２ａに連結されている。第一の補助せん断補強部２４ａは、その屈曲部２５から第一のせん断補強部２２ａに並行に伸びて、前記対の係止部２１，２１付近の頂部２７に至っている。
【００６６】
また、斜め補強部材２０は、前記第二のせん断補強部２２ｂに沿って配置された第二の補助せん断補強部２４ｂを備えている。第二の補助せん断補強部２４ｂは、前記第二のせん断補強部２２ｂの梁高さ方向中央側の端部に設けた屈曲部２５によって、その第二のせん断補強部２２ｂに連結されている。第二の補助せん断補強部２４ｂは、その屈曲部２５から第二のせん断補強部２２ｂに並行に伸びて、前記対の係止部２１，２１付近の頂部２７に至っている。
【００６７】
第一の補助せん断補強部２４ａと第二の補助せん断補強部２４ｂとは前記頂部２７で連結されており、すなわち、その第一の補助せん断補強部２４ａ及び第二の補助せん断補強部２４ｂを介して、前記第一のせん断補強部２２ａと前記第二のせん断補強部２２ｂとの連結が行われている。頂部２７は、この実施形態のように、前記対の係止部２１，２１の梁軸方向中央に位置することが望ましい。
【００６８】
また、この斜め補強部材２０は、前記対の係止部２１，２１の梁軸方向中央、すなわち、前記頂部２７付近を夾んで左右対称に、且つ等しい重量に形成されている。なお、この実施形態では、前述の実施形態と同様、一本の連続する鉄筋（軸状部材）を曲げ加工することにより、前記斜め補強部材２０を構成している。
【００６９】
このように、対の係止部２１，２１の梁軸方向中央を夾んで、その梁軸方向両側に前記第一のせん断補強部２２ａ、第二のせん断補強部２２ｂ、第一の補助せん断補強部２４ａ、第二の補助せん断補強部２４ｂを配置したので、その対の係止部２１，２１を主筋６に固定することで、第一のせん断補強部２２ａ、第二のせん断補強部２２ｂ等の向きが必然的に決まる。特に、梁１の上方の主筋６に係止する斜め補強部材２０の場合は、対の係止部２１，２１が主筋６に係止されることで、第一のせん断補強部２２ａ、第二のせん断補強部２２ｂ等はその自重で垂れ下がるように支持されるので、別段に作業者が持ち上げて向きを変えたりしなくても所定の向きに配置される。このため、斜め補強部材２０の配置、固定作業が、格段に容易となる。この実施形態では、斜め補強部材２０が、前記頂部２７付近を夾んで左右対称に、且つ等しい重量に形成されているから、さらにその効果が高い。
【００７０】
また、貫通孔２の上下にそれぞれ斜め補強部材２０を配置する場合には、後に配置される斜め補強部材２０（例えば、下方の主筋６に係止する斜め補強部材２０）は、先に配置した斜め補強部材２０（例えば、上方の主筋６に係止する斜め補強部材２０）の先端の位置（屈曲部２５に相当）を基準にすれば、容易に上下対称に配置することができる。このため、斜め補強部材２０のせん断補強部２２を、貫通孔２の周囲に均等に配置しやすい。
【００７１】
このように、前記斜め補強部材２０を前記貫通孔２の上下にそれぞれ配置した場合、その上下の斜め補強部材２０の前記第一のせん断補強部２２ａと第二のせん断補強部２２ｂの先端が、それぞれ前記梁１の高さ方向の中心に達するようにしているため、その梁１の正面視において、前記上下の斜め補強部材２０が、前記貫通孔２周囲を囲むように配置されるようになっていることは、前述の各実施形態と同様である。
【００７２】
なお、この実施形態においても、前述の各実施形態と同様、斜め補強部材２０の係止部２１を、梁幅方向に並列する複数の主筋６に係止できるよう、例えば、図４（ｄ）の変形例に示すように、幅広の楕円の円弧状に形成してもよいし、また、図７及び図８に示すように、２箇所の屈曲部２１ｂ，２１ｂと、その屈曲部２１ｂ，２１ｂ間の直線部２１ｃとを備える構成としてもよい。
【００７３】
また、この実施形態では、その第一の補助せん断補強部２４ａ及び第二の補助せん断補強部２４ｂを介して、前記第一のせん断補強部２２ａと前記第二のせん断補強部２２ｂとの連結が行われているが、その第一のせん断補強部２２ａと第二のせん断補強部２２ｂとの連結は、他の部材、例えば、第一のせん断補強部２２ａの長さ方向中ほどと第二のせん断補強部２２ｂの長さ方向中ほどとを、梁軸方向に連結する別の部材を設けてもよい。
この別の部材は、貫通孔２に支障しない位置に設けることができる。この場合、第一の補助せん断補強部２４ａと第二の補助せん断補強部２４ｂとを、頂部２７で連結しない構成も採用可能である。
【００７４】
また、この実施形態では、前記第一の補助せん断補強部２４ａ、前記第二の補助せん断補強部２４ｂを、それぞれ、前記第一のせん断補強部２２ａ、第二のせん断補強部２２ｂの先端に設けた屈曲部２５で連結する構成としたが、前記第一の補助せん断補強部２４ａと前記第一のせん断補強部２２ａとの連結、及び、前記第二の補助せん断補強部２４ｂと第二のせん断補強部２２ｂとの連結は、この実施形態に限定されず、例えば、前記第一の補助せん断補強部２４ａの長さ方向中ほどと、前記第一のせん断補強部２２ａの長さ方向中ほどとを連結する別の部材、前記第二の補助せん断補強部２４ｂの長さ方向中ほどと、前記第二のせん断補強部２２ｂの長さ方向中ほどとを連結する別の部材を設けてもよい。
【００７５】
さらに、例えば、図１乃至図８に示す構成において、梁軸方向両側のせん断補強部２２、２２に対して、それぞれ、前記第一の補助せん断補強部２４ａ、前記第二の補助せん断補強部２４ｂに相当する部材を備えさせてもよい。
【符号の説明】
【００７６】
１  梁（コンクリート造梁）
２  貫通孔
３  配管
４  柱
６  主筋
７  あばら筋（せん断補強筋）
１０  環状補強部材
１１，２０  斜め補強部材
１１ａ  フック部
１１ｂ  直棒部（せん断補強部）
１１ｃ  連結部
１１ｄ  抜け止め作用部
２０    斜め補強部材
２１  係止部
２１ａ，２１ｂ  屈曲部
２１ｃ  直線部
２２  せん断補強部
２２ａ  第一のせん断補強部
２２ｂ  第二のせん断補強部
２３  抜け止め作用部
２４ａ  第一の補助せん断補強部
２４ｂ  第二の補助せん断補強部
２５  屈曲部
２６  延長部
２７  頂部
【図１】
0005610262.tif 000002
【図２】
0005610262.tif 000003
【図３】
0005610262.tif 000004
【図４】
0005610262.tif 000005
【図５】
0005610262.tif 000006
【図６】
0005610262.tif 000007
【図７】
0005610262.tif 000008
【図８】
0005610262.tif 000009
【図９】
0005610262.tif 000010
【図１０】
0005610262.tif 000011
【図１１】
0005610262.tif 000012
【図１２】
0005610262.tif 000013
【図１３】
0005610262.tif 000014
【図１４】
0005610262.tif 000015
【図１５】
0005610262.tif 000016